(57)【要約】  【課題】一次側からの吐水の勢いをできるだけ弱めることなく、且つ途切れることなくパルス状の湯水を吐水することができるコスト安な吐水部の構造及びシャワー装置を提供すること。  【解決手段】吐水部１の構造は、中心側に複数の水流入口２を有し、傾斜させた補助水路１０を周辺側に有し、内面には水流入口２よりも外側位置に球保持用の環状保持部３を有する上流側部材４と、中央に吐水口５を有し、内面には球保持用の環状保持部６を有する下流側部材７と、上流側部材４の環状保持部３及び下流側部材７の環状保持部６により保持されるコアンダ効果発生用の複数個の球８とを備えている。【選択図】        図２
2019013866.tif 000002
【特許請求の範囲】
【請求項１】
中心側に複数の水流入口を有し、傾斜させた補助水路を周辺側に有し、内面には前記水流入口よりも外側位置に球保持用の環状保持部を有する上流側部材と、
中央に吐水口を有し、内面には球保持用の環状保持部を有する下流側部材と、
前記上流側部材の環状保持部及び前記下流側部材の環状保持部により保持されるコアンダ効果発生用の複数個の球
とを備えた吐水部の構造。
【請求項２】
前記上流側部材の環状保持部と前記下流側部材の環状保持部との間に、前記球を一定間隔に保持した状態で前記吐水口の軸心回りに回転する回転部材を設けてある請求項１記載の吐水部の構造。
【請求項３】
請求項１又は請求項２に記載の吐水部の外側に多数の散水孔を有するシャワー板部を配置し、シャワーと吐水とを切換え可能としてあるシャワー装置。
【発明の詳細な説明】
【技術分野】
【０００１】
本発明は、湯水（水又は混合水）をパルス状に吐水させることができる吐水部の構造及びシャワー装置に関するものであり、更に詳しくはマッサージシャワー水を得るため勢いの強い吐水と弱い吐水の湯水（メリハリのあるパルス状の湯水）を交互に吐水させることができる吐水部の構造及びシャワー装置に関するものである。
【背景技術】
【０００２】
従来、通常のシャワー吐水とパルス状の吐水とを切換え可能としてあるシャワー装置がある（下記特許文献１参照）。
【０００３】
このシャワー装置は、マッサージシャワー吐水用の多数のシャワー孔（噴水孔）及び通常のシャワー吐水用の多数の散水孔をそれぞれ内側底部及び外側底部に設けてなるシャワー吐水板部を備えているシャワーヘッドを有するとともに、前記シャワー吐水板部の内側に水流により回転する羽根車を設けたものである。
【０００４】
前記シャワー装置では、切換装置によるマッサージシャワー吐水モードにおいて、羽根車の上流部に設けた水流噴射部材に形成された複数の水流入口からの噴射水流を羽根車の羽根に当てて羽根車を回転させている。
【０００５】
そして、羽根車に一体に設けたシャワー孔遮断部にて前記シャワー孔を断続的に遮断及び開放することで、前記シャワー孔からシャワー水をパルス状に吐水するようになしている。
【先行技術文献】
【特許文献】
【０００６】
【特許文献１】特開２００５−１３９２３号公報
【発明の概要】
【発明が解決しようとする課題】
【０００７】
しかし、従来の前記シャワー装置は以下に示すような課題がある。
【０００８】
（１）水流噴射部材の水流入口からの噴射水流が羽根車の羽根に当たることで、吐水の勢いが弱くなる。
【０００９】
（２）前記シャワー孔を断続的に遮断及び開放することでパルス状吐水をしているが、遮断時は「吐水がなされない瞬間」があり、外気温度が低い時は使用者によっては寒く感じるおそれがある。
【００１０】
（３）羽根車の軸を保持する必要があるため、シャワー吐水板部の形状が限定されてしまう。
【００１１】
（４）遮断時は、吐水口である前記シャワー孔が塞がれることになり、シャワーヘッド内部の内圧が上がるため、部品の強度を増す必要がありコストが増大する。
【００１２】
本発明は上述の事柄を考慮に入れてなされたものであり、一次側からの吐水の勢いをできるだけ弱めることなく、且つ途切れることなくパルス状の湯水を吐水することができるコスト安な吐水部の構造及びシャワー装置を提供することを目的としている。
【課題を解決するための手段】
【００１３】
上記目的を達成するため、本願の請求項１に係る発明は、中心側に複数の水流入口を有し、傾斜させた補助水路を周辺側に有し、内面には前記水流入口よりも外側位置に球保持用の環状保持部を有する上流側部材と、中央に吐水口を有し、内面には球保持用の環状保持部を有する下流側部材と、前記上流側部材の環状保持部及び前記下流側部材の環状保持部により保持されるコアンダ効果発生用の複数個の球  とを備えた吐水部の構造を提供する。
【００１４】
本願の請求項２に係る発明は、前記上流側部材の環状保持部と前記下流側部材の環状保持部との間に、前記球を一定間隔に保持した状態で前記吐水口の軸心回りに回転する回転部材を設けてある請求項１記載の吐水部の構造を提供する。
【００１５】
本願の請求項３に係る発明は、請求項１又は請求項２に記載の吐水部の外側に多数の散水孔を有するシャワー板部を配置し、シャワーと吐水とを切換え可能としてあるシャワー装置を提供する。
【発明の効果】
【００１６】
本願の請求項１に係る発明では、上流側部材は、傾斜させた補助水路を周辺側に有しているので、前記補助水路から流出する噴流を球に当てて、球を回転させることができる。  
【００１７】
このように、本願の請求項１に係る発明では、球の回転に寄与するため傾斜させた補助水路を上流側部材の周辺側に設けている。
【００１８】
そのために、本願の請求項１に係る発明では、随時、水流入口を含む通水路と球の位置関係がずれる。
【００１９】
故に、前記位置関係に応じて吐水形態が切り替わり吐水口から２種類の吐水をパルス状に吐水させることができる。
【００２０】
即ち、吐水部の内部に向かって水流入口から流入する噴流が、内部の複数個の球に接触することなく勢いを保ったまま吐水口へ向かって通水路を通過するときは、勢いのある強い複数のストレート吐水になってこれが吐水口から吐水される一方、前記噴流の少なくとも一部が前記球に沿うように接触するときは勢いがストレート吐水よりも弱められたまま吐水口へ向かって前記通水路を通過することで勢いが弱められ且つコアンダ効果により広がりのある吐水になってこれが吐水口から広い範囲に吐水される。
【００２１】
この際、前記噴流の少なくとも一部が前記球と接触した場合でも、前記通水路と前記吐水口は連通しており、前記球により前記吐水口が完全に塞がれることはなく前記噴流が流入している限りは前記吐水口への２種類のパルス状の吐水は途切れることなく行われうる。
【００２２】
又、勢いが弱められた吐水は水流入口の数に相当する数だけ吐水口から吐水される。
【００２３】
このように、湯水（マッサージシャワー水）をパルス吐水させる際、従来例では、シャワー孔遮断部により遮断時には吐水がなされない瞬間があるのに対し、本願の請求項１に係る発明では、シャワー孔遮断部はないので、吐水口を塞ぐことはなく、前記吐水口から途切れることなくパルス状の湯水の連続吐水が可能である。
【００２４】
又、本願の請求項１に係る発明では、上述のように連続吐水のため、寒さを感じることはない。
【００２５】
又、本願の請求項１に係る発明では、羽根車は不要であり、羽根車の軸を保持する必要がないので、パルス吐水の前記吐水口の占有面積を大きくすることができ、コアンダ効果により広がりのある勢いの弱い吐水を広い範囲に吐水させることができるとともに、２種類のパルス状の吐水が途切れることなく行われるのでマッサージ効果の増大に寄与できる。
【００２６】
又、本願の請求項１に係る発明では、吐水口を塞ぐことはなく、シャワーヘッド内部の内圧が上がることはないため、部品のコストダウンができる。
【００２７】
本願の請求項２に係る発明では、前記補助水路から流出する噴流を球に当てて、球を回転させることができるとともに、球の回転に付随して前記回転部材は回転する。
【００２８】
そして、本願の請求項２に係る発明では、水流入口を含む通水路と球の位置関係を一定に保ために前記回転部材を設けており、随時、前記通水路と球の位置関係がずれるため、前記ストレート吐水と前記広がりのある吐水の２種類の吐水が交互に規則的（周期的）に切り替わりながら、この状態が途切れることなくメリハリのある湯水を吐水させることができ、マッサージ効果の更なる増大に貢献できる。
【図面の簡単な説明】
【００２９】
【図１】本発明の一実施形態に係る吐水部を示す分解斜視図である。
【図２】（Ａ）は、上記実施形態において、通水路に球がなく広がりのない、強い吐水ができる通水路と球の配置関係を示す断面図である。（Ｂ）は、図２（Ａ）における底面図である。
【図３】（Ａ）は、上記実施形態において、コアンダ効果で広い範囲に吐水ができる通水路と球の配置関係を示す断面図である。（Ｂ）は、図３（Ａ）における底面図である。
【図４】（Ａ）は、上記実施形態における平面図である。（Ｂ）は、図４（Ａ）におけるＤ−Ｄ断面図である。
【図５】上記実施形態のシャワー装置の使用状態（コアンダ効果による広がりのある吐水状態）を示す斜視図である。
【図６】上記実施形態のシャワー装置の使用状態（強いストレート吐水状態）を示す斜視図である。
【図７】図５における吐水部を示す縦断面図である。
【図８】図６における吐水部を示す縦断面図である。
【図９】（Ａ）は、上記シャワー装置における通常のシャワー吐水状態の要部を示す縦断面図である。（Ｂ）は、上記シャワー装置における２種類のマッサージシャワー吐水状態の要部を示す縦断面図である。
【図１０】上記実施形態において、強いストレート吐水を発生させるための通水路と球の位置関係を示す構成説明図である。
【図１１】上記実施形態におけるコアンダ効果を発生させるための通水路と球の位置関係を示す構成説明図である。
【図１２】本発明の他の実施形態に係る吐水部を示す底面図である。
【図１３】本発明の更に他の実施形態に係る吐水部を示す底面図である。
【発明を実施するための形態】
【００３０】
以下、本発明の実施形態について説明する。なお、それによって本発明は限定されるものではない。
【００３１】
図１〜図１１は本発明の一実施形態を示す。
【００３２】
図１〜図１１において、吐水部１の構造は、平面視において中心側に複数の水流入口２（実施形態では３個の水流入口）を有し、傾斜させた補助水路１０を周辺側に有し、内面には水流入口２よりも外側位置に球保持用の環状保持部（この実施形態では環状の凹入溝）３を有する上流側部材４と、中央に吐水口５を有し、内面には球保持用の環状保持部（この実施形態では環状の凹入溝）６を有する下流側部材７と、上流側部材４の環状保持部３及び下流側部材７の環状保持部６により保持されるコアンダ効果発生用の複数個の球（コアンダボール）８（実施形態では３個の球）とを主として備えている。水流入口２はこの実施形態ではφ３．０ｍｍである。
【００３３】
環状保持部３は、球８の上面を保持するものであり、環状保持部６は球８の下面を保持するものである。
【００３４】
又、環状保持部３と環状保持部６との間に、球８を一定間隔に保持した状態で吐水口５の軸心回りに回転する回転部材９を設けてある。即ち、水流入口２を含む通水路と球８の位置関係を一定に保ために前記回転部材９を設けている。９ａは回転部材９において一定間隔に形成された３対の球保持部である。
【００３５】
そして、上流側部材４の周辺側に、傾斜させた２個の前記補助水路１０を設けてある。前記補助水路１０は、球８の回転をアシストさせるために設けられた水路である。この実施形態では、補助水路１０から流出する噴流が球８に当たり、球８を回転させるように構成されているとともに、球８の回転に付随して回転部材９は吐水口５の軸心回りに回転するよう構成されている。
【００３６】
このように、前記補助水路１０は、球８の回転に寄与するため設けられており、そのために上流側部材４に傾斜をつけて形成されている。前記補助水路１０が球８の上流側へ向くよう、前記補助水路１０は図４（Ａ）に示すように、平面視斜め方向で、且つ図４（Ｂ）に示すように、縦断面斜め方向に形成されている。即ち、前記補助水路１０の向きは、上流（上流側部材４の上面側）から下流（上流側部材４り下面側）方向へ上流側部材４の上面部を垂直に（前記上面部に対して９０°の角度でもって）貫通する向きではなく、図４（Ｂ）に示すように、上流側部材４の上面部を斜め方向（前記上面部に対して例えば５０°の傾斜角でもって）に貫通するよう前記補助水路１０は、内側（吐水口５の軸心側）に向けて傾斜している。
【００３７】
１１は、シャワー装置で、グリップ部１３と、グリップ部１３の下流端に接続され、弁体部（図示せず）及び吐水部１並びに切換部１４等を内部に備えたシャワーヘッド１５とを有している。尚、切換部１４は、弁体部に回動自在に設けられ、切換ハンドル１６を操作することによって吐水部１の外側に設けた多数の散水孔１２から吐水する通常のシャワー吐水［図９参照］とパルス状の吐水とが切換可能に構成されている。
【００３８】
尚、シャワー装置１１は、浴室、洗面台、台所、庭等で使用されるものである。
【００３９】
而して、切換ハンドル１６をパルス状の吐水モードに設定すると湯水の噴流が３個の水流入口２を通ると同時に、２個の補助水路１０を通った噴流が球８に当たり、球８を回し、それに付随して回転部材９が回転する。
【００４０】
すると、図２、図８並びに図９（Ｂ）における正面向かって右側に示すように、湯水が前記水流入口２を通って、球８に接触することなく［図１０参照］、勢いのある内向きの３本の強い吐水Ａ［図６参照］となる状態と、図３に示すように水流入口２と球８の位置関係がずれて湯水が球８と接触し［図１１参照］、勢いが弱められた広がった３本の吐水Ｂ［図５参照］となる状態とに交互に切り換わる。
【００４１】
即ち、勢いが弱められた広がりのある吐水Ｂ［図５、図７、図９（Ｂ）における正面向かって左側参照］と、勢いのある強い内向きの吐水Ａ［図６、図８参照］を交互に規則的に吐水させることがでぎる。
【００４２】
つまり、マッサージシャワー水として有効なメリハリのある湯水を規則的（周期的）に切り替えながら途切れることなく提供できる。
【００４３】
このように実施形態では、断続感のあるパルス状の吐水を提供できる上に、吐水口５を塞ぐことはなく、シャワーヘッド１５内部の内圧が上がることはないため、部品のコストダウンができる。
【００４４】
又、連続吐水のため、寒さを感じることがない。
【００４５】
羽根車は不要であり、羽根車の軸を保持する必要がないので、パルス吐水の前記吐水口５を大きくすることができ、広がりのある勢いの弱い吐水をも広い範囲に吐水させることができる。
【００４６】
尚、切換ハンドル１６を切り換えて通常のシャワー吐水に設定すると、図９（Ａ）に示すように、Ｓで示す範囲（φ２１ｍｍ）からは湯水が出ない状態で、通常のシャワーが吐水部１の外側に設けた多数の散水孔１２から吐水する。
【００４７】
図１２は、回転部材９を設けることなくコアンダ効果発生用の６つの球８を環状保持部３及び環状保持部６間において一定間隔に保持するように構成した本発明の他の実施形態を示す。
【００４８】
この実施形態では、隣接する球８，８同士を常時接触させた状態で、６つの球８を環状保持部３及び環状保持部６によって形成される環状空間内に回転可能に敷きつめて配置する構成を採用しているので、２個の補助水路１０を通った噴流が球８に当たり、球８は回する。そして、この実施形態では、回転部材９を削減しても上記実施形態と同等の湯水を吐水させることができる。
【００４９】
即ち、この実施形態でも、勢いが弱められた広がりのある吐水Ｂ［図５、図７参照］と、勢いのある強い内向きの吐水Ａ［図６、図８参照］を交互に規則的に吐水させることができる。
【００５０】
図１３は、回転部材９を設けることなくコアンダ効果発生用の３つの球８を環状保持部３及び環状保持部６間において保持するように構成した本発明の更に他の実施形態を示す。
【００５１】
この実施形態では、２個の補助水路１０を通った噴流が球８に当たり、球８は回する。そして、隣接する球８，８同士は接触したり離れたりしながら前記環状空間内を動きまわるので、水流入口２から吐水部１の内部に向かって複数の噴流が流入し、内部の前記球８の動きに伴って吐水口５からの２種類の吐水形態がランダムに切り替わり吐水口５から２種類の吐水Ａ，Ｂをパルス状に吐水させることができる。
【符号の説明】
【００５２】
１            吐水部
２            水流入口
３            環状保持部
４            上流側部材
５            吐水口
６            環状保持部
７            下流側部材
８            球
１０          傾斜させた補助水路
【図１】
2019013866.tif 000003
【図２】
2019013866.tif 000004
【図３】
2019013866.tif 000005
【図４】
2019013866.tif 000006
【図５】
2019013866.tif 000007
【図６】
2019013866.tif 000008
【図７】
2019013866.tif 000009
【図８】
2019013866.tif 000010
【図９】
2019013866.tif 000011
【図１０】
2019013866.tif 000012
【図１１】
2019013866.tif 000013
【図１２】
2019013866.tif 000014
【図１３】
2019013866.tif 000015
【手続補正書】
【提出日】平成30年10月23日(2018.10.23)
【手続補正１】
【補正対象書類名】特許請求の範囲
【補正対象項目名】全文
【補正方法】変更
【補正の内容】
【特許請求の範囲】
【請求項１】
中心側に複数の水流入口を有し、傾斜させた補助水路を周辺側に有し、内面には前記水流入口よりも外側位置に球保持用の環状保持部を有する上流側部材と、
中央に吐水口を有し、内面には球保持用の環状保持部を有する下流側部材と、
前記上流側部材の環状保持部及び前記下流側部材の環状保持部により保持されるコアンダ効果発生用の複数個の球
とを備え、
さらに、前記補助水路は、通過した湯水が球に当たり球を回転するために設けられている一方、前記複数の水流入口から流入する湯水が前記吐水口へ向かって通水路を通過するよう構成され、
湯水が前記複数の水流入口を通って、勢いのある強い吐水となる状態と、湯水が前記複数の水流入口を通って、湯水が球と接触して、コアンダ効果により勢いが弱められ広がった吐水となる状態とに交互に切り換わるよう構成されている吐水部の構造。
【請求項２】
前記吐水口は前記下流側部材の中央において単一に形成されており、また、前記通水路と前記吐水口は連通しており、前記勢いのある強い吐水となる状態では、前記複数の水流入口から流入する湯水の噴流が、勢いを保ったまま前記吐水口へ向かって前記通水路を通過し、勢いのある強い複数のストレート吐水になってこれが前記吐水口から吐水される一方、前記勢いが弱められ広がった吐水となる状態では、前記複数の水流入口から流入する湯水の噴流の少なくとも一部が前記球に沿うように接触し、勢いがストレート吐水よりも弱められたまま前記吐水口へ向かって前記通水路を通過することで勢いが弱められ且つコアンダ効果により広がりのある吐水になってこれが前記吐水口から広い範囲に吐水される請求項１記載の吐水部の構造。
【請求項３】
前記上流側部材の環状保持部と前記下流側部材の環状保持部との間に、前記球を一定間隔に保持した状態で前記吐水口の軸心回りに回転する回転部材を設けてある請求項１又は請求項２に記載の吐水部の構造。
【請求項４】
請求項１〜請求項３のいずれか１項に記載の吐水部の外側に多数の散水孔を有するシャワー板部を配置し、シャワーと吐水とを切換え可能としてあるシャワー装置。
【手続補正２】
【補正対象書類名】明細書
【補正対象項目名】全文
【補正方法】変更
【補正の内容】
【発明の詳細な説明】
【技術分野】
【０００１】
本発明は、湯水（水又は混合水）をパルス状に吐水させることができる吐水部の構造及びシャワー装置に関するものであり、更に詳しくはマッサージシャワー水を得るため勢いの強い吐水と弱い吐水の湯水（メリハリのあるパルス状の湯水）を交互に吐水させることができる吐水部の構造及びシャワー装置に関するものである。
【背景技術】
【０００２】
従来、通常のシャワー吐水とパルス状の吐水とを切換え可能としてあるシャワー装置がある（下記特許文献１参照）。
【０００３】
このシャワー装置は、マッサージシャワー吐水用の多数のシャワー孔（噴水孔）及び通常のシャワー吐水用の多数の散水孔をそれぞれ内側底部及び外側底部に設けてなるシャワー吐水板部を備えているシャワーヘッドを有するとともに、前記シャワー吐水板部の内側に水流により回転する羽根車を設けたものである。
【０００４】
前記シャワー装置では、切換装置によるマッサージシャワー吐水モードにおいて、羽根車の上流部に設けた水流噴射部材に形成された複数の水流入口からの噴射水流を羽根車の羽根に当てて羽根車を回転させている。
【０００５】
そして、羽根車に一体に設けたシャワー孔遮断部にて前記シャワー孔を断続的に遮断及び開放することで、前記シャワー孔からシャワー水をパルス状に吐水するようになしている。
【先行技術文献】
【特許文献】
【０００６】
【特許文献１】特開２００５−１３９２３号公報
【発明の概要】
【発明が解決しようとする課題】
【０００７】
しかし、従来の前記シャワー装置は以下に示すような課題がある。
【０００８】
（１）水流噴射部材の水流入口からの噴射水流が羽根車の羽根に当たることで、吐水の勢いが弱くなる。
【０００９】
（２）前記シャワー孔を断続的に遮断及び開放することでパルス状吐水をしているが、遮断時は「吐水がなされない瞬間」があり、外気温度が低い時は使用者によっては寒く感じるおそれがある。
【００１０】
（３）羽根車の軸を保持する必要があるため、シャワー吐水板部の形状が限定されてしまう。
【００１１】
（４）遮断時は、吐水口である前記シャワー孔が塞がれることになり、シャワーヘッド内部の内圧が上がるため、部品の強度を増す必要がありコストが増大する。
【００１２】
本発明は上述の事柄を考慮に入れてなされたものであり、一次側からの吐水の勢いをできるだけ弱めることなく、且つ途切れることなくパルス状の湯水を吐水することができるコスト安な吐水部の構造及びシャワー装置を提供することを目的としている。
【課題を解決するための手段】
【００１３】
上記目的を達成するため、本願の請求項１に係る発明は、中心側に複数の水流入口を有し、傾斜させた補助水路を周辺側に有し、内面には前記水流入口よりも外側位置に球保持用の環状保持部を有する上流側部材と、
中央に吐水口を有し、内面には球保持用の環状保持部を有する下流側部材と、
前記上流側部材の環状保持部及び前記下流側部材の環状保持部により保持されるコアンダ効果発生用の複数個の球
とを備え、
さらに、前記補助水路は、通過した湯水が球に当たり球を回転するために設けられている一方、前記複数の水流入口から流入する湯水が前記吐水口へ向かって通水路を通過するよう構成され、
湯水が前記複数の水流入口を通って、勢いのある強い吐水となる状態と、湯水が前記複数の水流入口を通って、湯水が球と接触して、コアンダ効果により勢いが弱められ広がった吐水となる状態とに交互に切り換わるよう構成されている吐水部の構造を提供する。
【００１４】
本願の請求項２に係る発明は、前記吐水口は前記下流側部材の中央において単一に形成されており、また、前記通水路と前記吐水口は連通しており、前記勢いのある強い吐水となる状態では、前記複数の水流入口から流入する湯水の噴流が、勢いを保ったまま前記吐水口へ向かって前記通水路を通過し、勢いのある強い複数のストレート吐水になってこれが前記吐水口から吐水される一方、前記勢いが弱められ広がった吐水となる状態では、前記複数の水流入口から流入する湯水の噴流の少なくとも一部が前記球に沿うように接触し、勢いがストレート吐水よりも弱められたまま前記吐水口へ向かって前記通水路を通過することで勢いが弱められ且つコアンダ効果により広がりのある吐水になってこれが前記吐水口から広い範囲に吐水される請求項１記載の吐水部の構造を提供する。また、本願の請求項３に係る発明は、前記上流側部材の環状保持部と前記下流側部材の環状保持部との間に、前記球を一定間隔に保持した状態で前記吐水口の軸心回りに回転する回転部材を設けてある請求項１又は請求項２に記載の吐水部の構造を提供する。
【００１５】
本願の請求項４に係る発明は、請求項１〜請求項３のいずれか１項に記載の吐水部の外側に多数の散水孔を有するシャワー板部を配置し、シャワーと吐水とを切換え可能としてあるシャワー装置を提供する。
【発明の効果】
【００１６】
本願の請求項１に係る発明では、上流側部材は、傾斜させた補助水路を周辺側に有しているので、前記補助水路から流出する噴流を球に当てて、球を回転させることができる。  
【００１７】
このように、本願の請求項１に係る発明では、球の回転に寄与するため傾斜させた補助水路を上流側部材の周辺側に設けている。
【００１８】
そのために、本願の請求項１に係る発明では、随時、水流入口を含む通水路と球の位置関係がずれる。
【００１９】
故に、前記位置関係に応じて吐水形態が切り替わり吐水口から２種類の吐水をパルス状に吐水させることができる。
【００２０】
即ち、吐水部の内部に向かって水流入口から流入する噴流が、内部の複数個の球に接触することなく勢いを保ったまま吐水口へ向かって通水路を通過するときは、勢いのある強い複数のストレート吐水になってこれが吐水口から吐水される一方、前記噴流の少なくとも一部が前記球に沿うように接触するときは勢いがストレート吐水よりも弱められたまま吐水口へ向かって前記通水路を通過することで勢いが弱められ且つコアンダ効果により広がりのある吐水になってこれが吐水口から広い範囲に吐水される。
【００２１】
この際、前記噴流の少なくとも一部が前記球と接触した場合でも、前記通水路と前記吐水口は連通しており、前記球により前記吐水口が完全に塞がれることはなく前記噴流が流入している限りは前記吐水口への２種類のパルス状の吐水は途切れることなく行われうる。
【００２２】
又、勢いが弱められた吐水は水流入口の数に相当する数だけ吐水口から吐水される。
【００２３】
このように、湯水（マッサージシャワー水）をパルス吐水させる際、従来例では、シャワー孔遮断部により遮断時には吐水がなされない瞬間があるのに対し、本願の請求項１に係る発明では、シャワー孔遮断部はないので、吐水口を塞ぐことはなく、前記吐水口から途切れることなくパルス状の湯水の連続吐水が可能である。
【００２４】
又、本願の請求項１に係る発明では、上述のように連続吐水のため、寒さを感じることはない。
【００２５】
又、本願の請求項１に係る発明では、羽根車は不要であり、羽根車の軸を保持する必要がないので、パルス吐水の前記吐水口の占有面積を大きくすることができ、コアンダ効果により広がりのある勢いの弱い吐水を広い範囲に吐水させることができるとともに、２種類のパルス状の吐水が途切れることなく行われるのでマッサージ効果の増大に寄与できる。
【００２６】
又、本願の請求項１に係る発明では、吐水口を塞ぐことはなく、シャワーヘッド内部の内圧が上がることはないため、部品のコストダウンができる。
【００２７】
本願の請求項３に係る発明では、前記補助水路から流出する噴流を球に当てて、球を回転させることができるとともに、球の回転に付随して前記回転部材は回転する。
【００２８】
そして、本願の請求項３に係る発明では、水流入口を含む通水路と球の位置関係を一定に保ために前記回転部材を設けており、随時、前記通水路と球の位置関係がずれるため、前記ストレート吐水と前記広がりのある吐水の２種類の吐水が交互に規則的（周期的）に切り替わりながら、この状態が途切れることなくメリハリのある湯水を吐水させることができ、マッサージ効果の更なる増大に貢献できる。
【図面の簡単な説明】
【００２９】
【図１】本発明の一実施形態に係る吐水部を示す分解斜視図である。
【図２】（Ａ）は、上記実施形態において、通水路に球がなく広がりのない、強い吐水ができる通水路と球の配置関係を示す断面図である。（Ｂ）は、図２（Ａ）における底面図である。
【図３】（Ａ）は、上記実施形態において、コアンダ効果で広い範囲に吐水ができる通水路と球の配置関係を示す断面図である。（Ｂ）は、図３（Ａ）における底面図である。
【図４】（Ａ）は、上記実施形態における平面図である。（Ｂ）は、図４（Ａ）におけるＤ−Ｄ断面図である。
【図５】上記実施形態のシャワー装置の使用状態（コアンダ効果による広がりのある吐水状態）を示す斜視図である。
【図６】上記実施形態のシャワー装置の使用状態（強いストレート吐水状態）を示す斜視図である。
【図７】図５における吐水部を示す縦断面図である。
【図８】図６における吐水部を示す縦断面図である。
【図９】（Ａ）は、上記シャワー装置における通常のシャワー吐水状態の要部を示す縦断面図である。（Ｂ）は、上記シャワー装置における２種類のマッサージシャワー吐水状態の要部を示す縦断面図である。
【図１０】上記実施形態において、強いストレート吐水を発生させるための通水路と球の位置関係を示す構成説明図である。
【図１１】上記実施形態におけるコアンダ効果を発生させるための通水路と球の位置関係を示す構成説明図である。
【図１２】本発明の他の実施形態に係る吐水部を示す底面図である。
【図１３】本発明の更に他の実施形態に係る吐水部を示す底面図である。
【発明を実施するための形態】
【００３０】
以下、本発明の実施形態について説明する。なお、それによって本発明は限定されるものではない。
【００３１】
図１〜図１１は本発明の一実施形態を示す。
【００３２】
図１〜図１１において、吐水部１の構造は、平面視において中心側に複数の水流入口２（実施形態では３個の水流入口）を有し、傾斜させた補助水路１０を周辺側に有し、内面には水流入口２よりも外側位置に球保持用の環状保持部（この実施形態では環状の凹入溝）３を有する上流側部材４と、中央に吐水口５を有し、内面には球保持用の環状保持部（この実施形態では環状の凹入溝）６を有する下流側部材７と、上流側部材４の環状保持部３及び下流側部材７の環状保持部６により保持されるコアンダ効果発生用の複数個の球（コアンダボール）８（実施形態では３個の球）とを主として備えている。水流入口２はこの実施形態ではφ３．０ｍｍである。
【００３３】
環状保持部３は、球８の上面を保持するものであり、環状保持部６は球８の下面を保持するものである。
【００３４】
又、環状保持部３と環状保持部６との間に、球８を一定間隔に保持した状態で吐水口５の軸心回りに回転する回転部材９を設けてある。即ち、水流入口２を含む通水路と球８の位置関係を一定に保ために前記回転部材９を設けている。９ａは回転部材９において一定間隔に形成された３対の球保持部である。
【００３５】
そして、上流側部材４の周辺側に、傾斜させた２個の前記補助水路１０を設けてある。前記補助水路１０は、球８の回転をアシストさせるために設けられた水路である。この実施形態では、補助水路１０から流出する噴流が球８に当たり、球８を回転させるように構成されているとともに、球８の回転に付随して回転部材９は吐水口５の軸心回りに回転するよう構成されている。
【００３６】
このように、前記補助水路１０は、球８の回転に寄与するため設けられており、そのために上流側部材４に傾斜をつけて形成されている。前記補助水路１０が球８の上流側へ向くよう、前記補助水路１０は図４（Ａ）に示すように、平面視斜め方向で、且つ図４（Ｂ）に示すように、縦断面斜め方向に形成されている。即ち、前記補助水路１０の向きは、上流（上流側部材４の上面側）から下流（上流側部材４り下面側）方向へ上流側部材４の上面部を垂直に（前記上面部に対して９０°の角度でもって）貫通する向きではなく、図４（Ｂ）に示すように、上流側部材４の上面部を斜め方向（前記上面部に対して例えば５０°の傾斜角でもって）に貫通するよう前記補助水路１０は、内側（吐水口５の軸心側）に向けて傾斜している。
【００３７】
１１は、シャワー装置で、グリップ部１３と、グリップ部１３の下流端に接続され、弁体部（図示せず）及び吐水部１並びに切換部１４等を内部に備えたシャワーヘッド１５とを有している。尚、切換部１４は、弁体部に回動自在に設けられ、切換ハンドル１６を操作することによって吐水部１の外側に設けた多数の散水孔１２から吐水する通常のシャワー吐水［図９参照］とパルス状の吐水とが切換可能に構成されている。
【００３８】
尚、シャワー装置１１は、浴室、洗面台、台所、庭等で使用されるものである。
【００３９】
而して、切換ハンドル１６をパルス状の吐水モードに設定すると湯水の噴流が３個の水流入口２を通ると同時に、２個の補助水路１０を通った噴流が球８に当たり、球８を回転させ、それに付随して回転部材９が回転する。
【００４０】
すると、図２、図８並びに図９（Ｂ）における正面向かって右側に示すように、湯水が前記水流入口２を通って、球８に接触することなく［図１０参照］、勢いのある内向きの３本の強い吐水Ａ［図６参照］となる状態と、図３に示すように水流入口２と球８の位置関係がずれて湯水が球８と接触し［図１１参照］、勢いが弱められた広がった３本の吐水Ｂ［図５参照］となる状態とに交互に切り換わる。
【００４１】
即ち、勢いが弱められた広がりのある吐水Ｂ［図５、図７、図９（Ｂ）における正面向かって左側参照］と、勢いのある強い内向きの吐水Ａ［図６、図８参照］を交互に規則的に吐水させることがでぎる。
【００４２】
つまり、マッサージシャワー水として有効なメリハリのある湯水を規則的（周期的）に切り替えながら途切れることなく提供できる。
【００４３】
このように実施形態では、断続感のあるパルス状の吐水を提供できる上に、吐水口５を塞ぐことはなく、シャワーヘッド１５内部の内圧が上がることはないため、部品のコストダウンができる。
【００４４】
又、連続吐水のため、寒さを感じることがない。
【００４５】
羽根車は不要であり、羽根車の軸を保持する必要がないので、パルス吐水の前記吐水口５を大きくすることができ、広がりのある勢いの弱い吐水をも広い範囲に吐水させることができる。
【００４６】
尚、切換ハンドル１６を切り換えて通常のシャワー吐水に設定すると、図９（Ａ）に示すように、Ｓで示す範囲（φ２１ｍｍ）からは湯水が出ない状態で、通常のシャワーが吐水部１の外側に設けた多数の散水孔１２から吐水する。
【００４７】
図１２は、回転部材９を設けることなくコアンダ効果発生用の６つの球８を環状保持部３及び環状保持部６間において一定間隔に保持するように構成した本発明の他の実施形態を示す。
【００４８】
この実施形態では、隣接する球８，８同士を常時接触させた状態で、６つの球８を環状保持部３及び環状保持部６によって形成される環状空間内に回転可能に敷きつめて配置する構成を採用しているので、２個の補助水路１０を通った噴流が球８に当たり、球８は回転する。そして、この実施形態では、回転部材９を削減しても上記実施形態と同等の湯水を吐水させることができる。
【００４９】
即ち、この実施形態でも、勢いが弱められた広がりのある吐水Ｂ［図５、図７参照］と、勢いのある強い内向きの吐水Ａ［図６、図８参照］を交互に規則的に吐水させることができる。
【００５０】
図１３は、回転部材９を設けることなくコアンダ効果発生用の３つの球８を環状保持部３及び環状保持部６間において保持するように構成した本発明の更に他の実施形態を示す。
【００５１】
この実施形態では、２個の補助水路１０を通った噴流が球８に当たり、球８は回転する。そして、隣接する球８，８同士は接触したり離れたりしながら前記環状空間内を動きまわるので、水流入口２から吐水部１の内部に向かって複数の噴流が流入し、内部の前記球８の動きに伴って吐水口５からの２種類の吐水形態がランダムに切り替わり吐水口５から２種類の吐水Ａ，Ｂをパルス状に吐水させることができる。
【符号の説明】
【００５２】
１            吐水部
２            水流入口
３            環状保持部
４            上流側部材
５            吐水口
６            環状保持部
７            下流側部材
８            球
１０          傾斜させた補助水路